(57)【要約】【課題】より多くの仕掛けを収納することができ、かつ、仕掛け保持部に仕掛けを着脱する際に、省スペースを図ることができ、さらには、仕掛けを保持させた仕掛け保持部をケース部に収納する際に、釣糸が散乱せずに仕掛け保持部を容易にケース部に収納することができる釣り用仕掛け収納ケースを提供する。【解決手段】釣り用仕掛け収納ケース５は、ケース部１０と、ケース部１０に回動可能に設けられた第１仕掛け保持部１００と、第１仕掛け保持部１００に回動可能に設けられた第２仕掛け保持部２００とを有し、第１仕掛け保持部１００（２００）には、釣針保持部と、釣針保持部の先端側に設けられ、釣糸をターンさせるための屈曲板状部１１４（２１４）と、屈曲板状部１１４（２１４）の釣針保持部が設けられた側とは反対側に設けられた釣糸保持部１４０（２４０）と、釣糸保持部１０２ａ（２０２ａ）とが設けられている。【選択図】図３
2012152165.tif 000002
【特許請求の範囲】
【請求項１】
釣り用の仕掛けを収納するための釣り用仕掛け収納ケースであって、
ケース部（１０）と、第１仕掛け保持部（１００）と、第２仕掛け保持部（２００）とを有し、
ケース部が、底面部（２２ａ）と底面部の周囲から連設された側壁部（２２ｂ、２２ｃ、２２ｄ、２２ｅ）とを有するケース部本体部（２０）と、ケース部本体部に対してヒンジ部からなる第１回動中心を中心に回動する蓋部で、上面部（３２ａ）と上面部の周囲から連設された側壁部（３２ｂ、３２ｃ、３２ｄ、３２ｅ）とを有する蓋部（３０）とを有し、
第１仕掛け保持部が、第１仕掛け保持部本体部（１０１）と、第１釣針保持部（１３０）と、第１釣糸保持部（１４０）とを有し、
第１仕掛け保持部本体部が、第１仕掛け保持部をケース部本体部に収納した状態における第１仕掛け保持部本体部の第１回動中心側となる基端側の端部領域とケース部本体部の内部における第１回動中心側の端部領域とに設けられた第２回動中心で第１回動中心と平行な第２回動中心を中心にケース部本体部に対して回動可能に軸支され、第１仕掛け保持部をケース部本体部内に収納した状態において底面部側となる一方の面側に設けられた第１釣針保持部収納部（１０１−１）と、第１釣針保持部収納部の該基端側とは反対側である先端側に形成され仕掛けにおける釣糸をターンさせるための案内面を有する第１先端部（１１４）と、第１仕掛け保持部本体部における他方の面側に形成された第２釣糸保持部（１０２ａ）とを有し、
第１釣針保持部が、第１釣針保持部収納部に収納され、
第１釣糸保持部が、第１仕掛け保持部本体部の他方の面側で、釣糸の案内経路における第１先端部と第２釣糸保持部の間の位置に設けられ、
第２仕掛け保持部が、第２仕掛け保持部本体部（２０１）と、第２釣針保持部（２３０）と、第３釣糸保持部（２４０）とを有し、
第２仕掛け保持部本体部が、第１仕掛け保持部本体部の基端側の端部領域と第２仕掛け保持部と第１仕掛け保持部とを重ね合わせた状態における第２仕掛け保持部本体部における第１仕掛け保持部本体部の基端側の端部領域に対応する領域である基端側の端部領域とに設けられた第３回動中心で第１回動中心及び第２回動中心と平行な第３回動中心を中心に第１仕掛け保持部本体部に対して回動可能に軸支され、第１仕掛け保持部と第２仕掛け保持部とを重ねた合わせた場合に、第１仕掛け保持部側とは反対側の面である一方の面側に設けられた第２釣針保持部収納部（２０１−１）と、第２釣針保持部収納部の該基端側とは反対側である先端側に形成され仕掛けにおける釣糸をターンさせるための案内面を有する第２先端部（２１４）と、第２仕掛け保持部本体部における他方の面側に形成された第４釣糸保持部（２０２ａ）とを有し、
第２釣針保持部が、第２釣針保持部収納部に収納され、
第３釣糸保持部が、第２仕掛け保持部本体部の他方の面側で、釣糸の案内経路における第２先端部と第４釣糸保持部の間の位置に設けられ、
第１仕掛け保持部をケース部本体部に収納し、第２仕掛け保持部を第１仕掛け保持部に重ね合わせた状態として、蓋部をケース部本体部に対して閉状態とすることにより、第１仕掛け保持部と第２仕掛け保持部とがケース部内に収納されることを特徴とする釣り用仕掛け収納ケース。
【請求項２】
第１仕掛け保持部本体部における基端側と略直角方向の一対の側の端部領域には、他方の面側に向けて突出した第１爪部（１１８、１１９）が形成され、第２仕掛け保持部本体部における基端側と略直角方向の一対の側の端部領域には、第１仕掛け保持部と第２仕掛け保持部とを重ね合わせた状態で、該第１爪部と係合する開口部（２１８−１、２１９−１）が形成され、該開口部の縁部からは他方の面側に突出した第２爪部（２１８ｂ、２１９ｂ）が形成され、ケース部本体部の側壁部の内側の面には、第１仕掛け保持部をケース部本体部に収納し、さらに、第２仕掛け保持部を第１仕掛け保持部に重ね合わせた場合に、第２爪部と係合する突状部（２２ｄ−１）が形成されていることを特徴とする請求項１に記載の釣り用仕掛け収納ケース。
【請求項３】
第１仕掛け保持部本体部の他方の面における第２釣糸保持部の形成領域の基端側と該基端側と略直角方向の一対の側が凸状に突出して形成され、第２仕掛け保持部本体部の他方の面における第４釣糸保持部の形成領域の基端側と該基端側と直角方向の一対の側とが凸状に突出して形成され、第１仕掛け保持部と第２仕掛け保持部とを重ね合わせた場合に、第１仕掛け保持部本体部の該凸状に突出した部分と第２仕掛け保持部本体部の該凸状に突出した部分とが接することにより、第２釣糸保持部の形成領域と第４釣糸保持部の形成領域の間に釣糸を収納するための空間が形成されることを特徴とする請求項１又は２に記載の釣り用仕掛け収納ケース。
【請求項４】
ケース部本体部には、第２回動中心の位置に穴部が形成された一対の軸受部で穴部が形成された板状を呈し円弧状の端面と該円弧状の端面に連設された平面状の端面とを有する軸受部（２８、２９）が設けられ、第１仕掛け保持部本体部には、第２回転軸の位置に該軸受部の穴部に回転自在に挿入される軸部が設けられ、第２仕掛け保持部本体部の基端側と略直角方向の一対の側の面には、突状部であって、蓋部をケース部本体部に対して開いた状態で、重ね合わせた状態の第１仕掛け保持部と第２仕掛け保持部を蓋部側に回動させた際に、該軸受部の平面状の端面に係止して第１仕掛け保持部及び第２仕掛け保持部の回動を停止させる突状部（２０４ａ、２０６ａ）が形成されていることを特徴とする請求項１又は２又は３に記載の釣り用仕掛け収納ケース。
【請求項５】
第１釣針保持部と第２釣針保持部は、釣り針を差し込んで保持可能な弾性部材により形成されており、第１釣糸保持部と第３釣糸保持部は、釣糸を配設可能な切込みが形成された弾性部材により形成され、第２釣糸保持部は、第１釣針保持部収納部の第１仕掛け保持部本体部における他方の面側の面に形成され、釣糸を係止するための係止片により構成され、第４釣糸保持部は、第２釣針保持部収納部の第２仕掛け保持部本体部における他方の面側の面に形成され、釣糸を係止するための係止片により構成されていることを特徴とする請求項１又は２又は３又は４に記載の釣り用仕掛け収納ケース。
【発明の詳細な説明】
【技術分野】
【０００１】
本発明は、釣り用の仕掛けを収納する釣り用仕掛け収納ケースに関するものである。
【背景技術】
【０００２】
従来の釣り用仕掛け収納ケースとして、図５、図６に示すものが存在する。すなわち、従来の釣り用仕掛け収納ケース４０５は、ケース部４１０と、ケース部４１０に回動可能に取り付けられた仕掛け保持部５００とを有している。ケース部４１０は、容器状の本体部４２０と、本体部４２０に対してヒンジ部を介して回動する容器状の蓋部４３０とを有している。また、仕掛け保持部５００は、本体部４２０内の空間における本体部４２０のヒンジ部が設けられた側とは反対側の端部に回動可能に設けられ、全体に略長方形状の略板状を呈している。仕掛け保持部５００は、合成樹脂により略板状に形成された本体部５０１と、本体部５０１の一方の面（仕掛け保持部５００を本体部４２０に収納した状態で外側に露出する面）に設けられた細長の凹部に嵌合された複数の弾性部材５０２と、本体部５０１の弾性部材５０２よりも先端側に設けられた凹部に嵌合された釣糸保持部５０４と、本体部５０１の該一方の面とは反対側の他方の面の先端側に間隔を介して設けられた２つの凹部に嵌合された釣糸保持部５０６と釣糸保持部５０８とを有している。なお、釣糸保持部５０４、５０６、５０８は、略直方体を呈し、仕掛け保持部５００の回転軸の方向Ｐと平行な方向に形成され、回転軸の方向Ｐと直角な方向に複数の切込みが形成され、該切込みに釣糸が保持できるようになっている。
【０００３】
本体部５０１の回転中心側の端部の両側には、軸部が突出して設けられ、ケース部４１０の本体部４２０のヒンジ部が設けられた側とは反対側の端部の両側に該軸部を挿通する挿通穴を有する軸受部が設けられ、仕掛け保持部５００は、該挿通穴の位置の回転軸を中心に本体部４２０に対して回動し、仕掛け保持部５００の回動範囲は、仕掛け保持部５００を本体部４２０に収納した状態（回動範囲の一方の端部）から鈍角の角度の範囲となっている。該鈍角の角度の位置が回動範囲の他方の端部となる。
【０００４】
なお、出願人は、先行技術文献として、以下の特許文献１と特許文献２とを知得している。
【先行技術文献】
【特許文献】
【０００５】
【特許文献１】実開平６−６０３７９号公報
【特許文献２】実開平６−６０３８０号公報
【発明の概要】
【発明が解決しようとする課題】
【０００６】
しかし、釣り用仕掛け収納ケースにおいて、より多くの仕掛けを収納することができる収納ケースが要望されていた。すなわち、図５、図６に示す釣り用仕掛け収納ケースにおいては、収納できる仕掛けの数に限界があり、より多くの仕掛けを収納することができるものが望まれていた。
【０００７】
また、図５、図６に示す釣り用仕掛け収納ケース４０５においては、仕掛け保持部５００がケース部４１０の本体部４２０のヒンジ部と反対側の端部に設けられた回転軸を中心に回動するので、仕掛け保持部５００に仕掛けを保持したり仕掛け保持部５００から仕掛けを取り出したりする場合には、図６に示すように、蓋部４３０を本体部４２０に対して開状態とし、さらに、仕掛け保持部５００を回動範囲の他方の端部にまで回動させることになるので、釣り用仕掛け収納ケース４０５が、蓋部４３０を本体部４２０に対して開けた状態で、蓋部４３０と本体部４２０を結ぶ方向に大きなスペースを必要としてしまい、仕掛け保持部５００に仕掛けを保持したり取り出したりする際に省スペースを図ることができないという問題があった。
【０００８】
また、図５、図６に示す釣り用仕掛け収納ケース４０５においては、仕掛け保持部５００を本体部４２０に対して回動して立設させた際に、仕掛け保持部５００の釣糸保持部５０６、５０８が設けられている面が常に露出するので、釣糸保持部５０６、５０８に保持された釣糸が散乱して、仕掛け保持部５００をケース部４１０に収納するのが困難となるという問題があった。
【０００９】
そこで、本発明は、より多くの仕掛けを収納することができ、かつ、仕掛け保持部に仕掛けを着脱する（つまり、仕掛け保持部に仕掛けを保持したり仕掛け保持部から仕掛けを取り出したりする）際に、省スペースを図ることができ、さらには、仕掛けを保持させた仕掛け保持部をケース部に収納する際に、釣糸が散乱せずに仕掛け保持部を容易にケース部に収納することができる釣り用仕掛け収納ケースを提供することを目的とする。
【課題を解決するための手段】
【００１０】
本発明は上記問題点を解決するために創作されたものであって、第１には、釣り用の仕掛けを収納するための釣り用仕掛け収納ケースであって、ケース部（１０）と、第１仕掛け保持部（１００）と、第２仕掛け保持部（２００）とを有し、ケース部が、底面部（２２ａ）と底面部の周囲から連設された側壁部（２２ｂ、２２ｃ、２２ｄ、２２ｅ）とを有するケース部本体部（２０）と、ケース部本体部に対してヒンジ部からなる第１回動中心を中心に回動する蓋部で、上面部（３２ａ）と上面部の周囲から連設された側壁部（３２ｂ、３２ｃ、３２ｄ、３２ｅ）とを有する蓋部（３０）とを有し、第１仕掛け保持部が、第１仕掛け保持部本体部（１０１）と、第１釣針保持部（１３０）と、第１釣糸保持部（１４０）とを有し、第１仕掛け保持部本体部が、第１仕掛け保持部をケース部本体部に収納した状態における第１仕掛け保持部本体部の第１回動中心側となる基端側の端部領域とケース部本体部の内部における第１回動中心側の端部領域とに設けられた第２回動中心で第１回動中心と平行な第２回動中心（「第１回動中心を通る中心線と平行な中心線が通る第２回動中心」としてもよい）を中心にケース部本体部に対して回動可能に軸支され、第１仕掛け保持部をケース部本体部内に収納した状態において底面部側となる一方の面側に設けられた第１釣針保持部収納部（１０１−１）と、第１釣針保持部収納部の該基端側とは反対側である先端側に形成され仕掛けにおける釣糸をターンさせるための案内面を有する第１先端部（１１４）と、第１仕掛け保持部本体部における他方の面側に形成された第２釣糸保持部（１０２ａ）とを有し、第１釣針保持部が、第１釣針保持部収納部に収納され、第１釣糸保持部が、第１仕掛け保持部本体部の他方の面側で、釣糸の案内経路における第１先端部と第２釣糸保持部の間の位置に設けられ、第２仕掛け保持部が、第２仕掛け保持部本体部（２０１）と、第２釣針保持部（２３０）と、第３釣糸保持部（２４０）とを有し、第２仕掛け保持部本体部が、第１仕掛け保持部本体部の基端側の端部領域と第２仕掛け保持部と第１仕掛け保持部とを重ね合わせた状態における第２仕掛け保持部本体部における第１仕掛け保持部本体部の基端側の端部領域に対応する領域である基端側の端部領域とに設けられた第３回動中心で第１回動中心及び第２回動中心と平行な第３回動中心（「第１回動中心を通る中心線及び第２回動中心を通る中心線と平行な中心線が通る第３回動中心」としてもよい）を中心に第１仕掛け保持部本体部に対して回動可能に軸支され、第１仕掛け保持部と第２仕掛け保持部とを重ねた合わせた場合に、第１仕掛け保持部側とは反対側の面である一方の面側に設けられた第２釣針保持部収納部（２０１−１）と、第２釣針保持部収納部の該基端側とは反対側である先端側に形成され仕掛けにおける釣糸をターンさせるための案内面を有する第２先端部（２１４）と、第２仕掛け保持部本体部における他方の面側に形成された第４釣糸保持部（２０２ａ）とを有し、第２釣針保持部が、第２釣針保持部収納部に収納され、第３釣糸保持部が、第２仕掛け保持部本体部の他方の面側で、釣糸の案内経路における第２先端部と第４釣糸保持部の間の位置に設けられ、第１仕掛け保持部をケース部本体部に収納し、第２仕掛け保持部を第１仕掛け保持部に重ね合わせた状態として、蓋部をケース部本体部に対して閉状態とすることにより、第１仕掛け保持部と第２仕掛け保持部とがケース部内に収納されることを特徴とする。
【００１１】
第１の構成においては、第１仕掛け保持部においては、第１釣針保持部に仕掛けにおける釣針を保持し、釣針に取り付けられた釣糸を第１先端部の案内面に案内して、その後、第１釣糸保持部に釣糸を保持し、さらに、第２釣糸保持部に釣糸を保持する。第２仕掛け保持部においても、同様に、第２釣針保持部に仕掛けにおける釣針を保持し、釣針に取り付けられた釣糸を第２先端部の案内面に案内して、その後、第３釣糸保持部に釣糸を保持し、さらに、第４釣糸保持部に釣糸を保持する。
【００１２】
よって、ケース部に第１仕掛け保持部が第２回動中心を中心に回動可能に軸支され、さらに、第２仕掛け保持部が第１仕掛け保持部に第３回動中心を中心に回動自体に軸支されているので、多くの仕掛けを収納することができる。
【００１３】
また、第１仕掛け保持部は、ケース部本体部の第１回動中心側に軸支され、第２仕掛け保持部は、第１仕掛け保持部の基端側に軸支されているので、ケース部を開いた状態で、第１仕掛け保持部や第２仕掛け保持部を回動させても、蓋部をケース部本体部に対して開いた状態において、蓋部とケース部本体部とを結ぶ方向に大きなスペースを必要とせず、仕掛け保持部に仕掛けを保持したり取り出したりする際に省スペースを図ることができる。
【００１４】
また、釣糸を第１仕掛け保持部と第２仕掛け保持部の間に挟んだ状態で収納しておくことができるので、釣糸が仕掛け保持部の外側に散乱してしまうことがなく、仕掛けを保持した第１仕掛け保持部及び第２仕掛け保持部を容易にケース部に収納することができる。
【００１５】
なお、上記第１の構成において、第１仕掛け保持部本体部が、第１仕掛け保持部本体部の他方の面側で、釣糸の案内経路における第１先端部と第２釣糸保持部の間の位置に設けられた第１釣糸保持部収納部（１０１−２）を有し、第１釣糸保持部が、該第１釣糸保持部収納部に収納され、また、第２仕掛け保持部本体部が、第２仕掛け保持部本体部の他方の面側で、釣糸の案内経路における第２先端部と第４釣糸保持部の間の位置に設けられた第２釣糸保持部収納部（２０１−２）を有し、第３釣糸保持部が、該第２釣糸保持部収納部に収納されているものとしてもよい。
【００１６】
また、第２には、上記第１の構成において、第１仕掛け保持部本体部における基端側と略直角方向の一対の側（第３回動中心の方向の両側としてもよい）の端部領域には、他方の面側に向けて突出した第１爪部（１１８、１１９）が形成され、第２仕掛け保持部本体部における基端側と略直角方向の一対の側（第３回動中心の方向の両側としてもよい）の端部領域には、第１仕掛け保持部と第２仕掛け保持部とを重ね合わせた状態で、該第１爪部と係合する開口部（２１８−１、２１９−１）が形成され、該開口部の縁部からは他方の面側に突出した第２爪部（２１８ｂ、２１９ｂ）が形成され、ケース部本体部の側壁部の内側の面には、第１仕掛け保持部をケース部本体部に収納し、さらに、第２仕掛け保持部を第１仕掛け保持部に重ね合わせた場合に、第２爪部と係合する突状部（２２ｄ−１）が形成されていることを特徴とする。
【００１７】
よって、第１爪部は開口部に係合するので、釣糸を第１仕掛け保持部と第２仕掛け保持部の間に挟んで収納した状態で第１仕掛け保持部と第２仕掛け保持部とを一体化することができるので、より釣糸が仕掛け保持部の外側に散乱するのを防止でき、また、第１爪部を開口部に係合させて第１仕掛け保持部と第２仕掛け保持部とを一体化できるので、第１仕掛け保持部と第２仕掛け保持部とを一度の操作で回動させることができる。
【００１８】
また、第３には、上記第１又は第２の構成において、第１仕掛け保持部本体部の他方の面における第２釣糸保持部の形成領域の基端側と該基端側と略直角方向の一対の側が凸状に突出して形成され、第２仕掛け保持部本体部の他方の面における第４釣糸保持部の形成領域の基端側と該基端側と直角方向の一対の側とが凸状に突出して形成され、第１仕掛け保持部と第２仕掛け保持部とを重ね合わせた場合に、第１仕掛け保持部本体部の該凸状に突出した部分と第２仕掛け保持部本体部の該凸状に突出した部分とが接することにより、第２釣糸保持部の形成領域と第４釣糸保持部の形成領域の間に釣糸を収納するための空間が形成されることを特徴とする。
【００１９】
よって、該空間に第２釣糸保持部に保持された釣糸と第４釣糸保持部に保持された釣糸を収納することができ、釣糸が散乱するのを防止することができる。
【００２０】
また、第４には、上記第１から第３までのいずれかの構成において、ケース部本体部には、第２回動中心の位置に穴部が形成された一対の軸受部で穴部が形成された板状を呈し円弧状の端面と該円弧状の端面に連設された平面状の端面とを有する軸受部（２８、２９）が設けられ、第１仕掛け保持部本体部には、第２回転軸の位置に該軸受部の穴部に回転自在に挿入される軸部が設けられ、第２仕掛け保持部本体部の基端側と略直角方向の一対の側（第３回動中心の方向の両側としてもよい）の面には、突状部であって、蓋部をケース部本体部に対して開いた状態で、重ね合わせた状態の第１仕掛け保持部と第２仕掛け保持部を蓋部側に回動させた際に、該軸受部の平面状の端面に係止して第１仕掛け保持部及び第２仕掛け保持部の回動を停止させる突状部（２０４ａ、２０６ａ）が形成されていることを特徴とする。
【００２１】
よって、蓋部をケース部本体部に対して開いた状態で、重ね合わせた状態の第１仕掛け保持部と第２仕掛け保持部を蓋部側に回動させても、第２仕掛け保持部に保持させた釣針が蓋部の側壁部の上端やヒンジ部に接触しないようにすることができる。
【００２２】
また、第５には、上記第１から第４までのいずれかの構成において、第１釣針保持部と第２釣針保持部は、釣り針を差し込んで保持可能な弾性部材により形成されており、第１釣糸保持部と第３釣糸保持部は、釣糸を配設可能な切込みが形成された弾性部材により形成され、第２釣糸保持部は、第１釣針保持部収納部の第１仕掛け保持部本体部における他方の面側の面に形成され、釣糸を係止するための係止片により構成され、第４釣糸保持部は、第２釣針保持部収納部の第２仕掛け保持部本体部における他方の面側の面に形成され、釣糸を係止するための係止片により構成されていることを特徴とする。
【００２３】
なお、第６の構成として以下の構成としてもよい。すなわち、上記第１から第５までのいずれかの構成において、第２仕掛け保持部本体部における第３回動中心の位置に軸部（第３回動中心対応軸部）又は穴部（第３回動中心対応穴部）が形成され、第１仕掛け保持部本体部の第３回動中心の位置に該第３回動中心対応軸部が挿入する穴部（第２の第３回動中心対応穴部）又は該第３回動中心対応穴部に挿入する軸部（第２の第３回動中心対応軸部）が形成され、第１仕掛け保持部と第２仕掛け保持部の一方が他方に対して第３回動中心を中心に回動することを特徴とするものとしてもよい。
【００２４】
また、第７の構成として以下の構成としてもよい。すなわち、上記第１から第６までのいずれかの構成において、底面部と上面部とが、略長方形状の板状を呈し、第１回動中心を構成するヒンジ部は、底面部の短辺から連設された側壁部と上面部の短辺から連設された側壁部に設けられていることを特徴とするものとしてもよい。
【発明の効果】
【００２５】
本発明に基づく釣り用仕掛け収納ケースによれば、ケース部に第１仕掛け保持部が第２回動中心を中心に回動可能に軸支され、さらに、第２仕掛け保持部が第１仕掛け保持部に第３回動中心を中心に回動自体に軸支されているので、多くの仕掛けを収納することができる。
【００２６】
また、第１仕掛け保持部は、ケース部本体部の第１回動中心側に軸支され、第２仕掛け保持部は、第１仕掛け保持部の基端側に軸支されているので、ケース部を開いた状態で、第１仕掛け保持部や第２仕掛け保持部を回動させても、蓋部をケース部本体部に対して開いた状態において、蓋部とケース部本体部とを結ぶ方向に大きなスペースを必要とせず、仕掛け保持部に仕掛けを保持したり取り出したりする際に省スペースを図ることができる。
【００２７】
また、釣糸を第１仕掛け保持部と第２仕掛け保持部の間に挟んだ状態で収納しておくことができるので、釣糸が仕掛け保持部の外側に散乱してしまうことがなく、仕掛けを保持した第１仕掛け保持部及び第２仕掛け保持部を容易にケース部に収納することができる。
【図面の簡単な説明】
【００２８】
【図１】釣り用仕掛け収納ケースの斜視図である。
【図２】釣り用仕掛け収納ケースの蓋部を開けた状態の要部斜視図である。
【図３】釣り用仕掛け収納ケースの蓋部を開け、さらに、第２仕掛け保持部を蓋部側に回動させた状態の要部斜視図である。
【図４】釣り用仕掛け収納ケースの蓋部を開け、さらに、第１仕掛け保持部と第２仕掛け保持部を蓋部側に回動させた状態の要部斜視図である。
【図５】従来の釣り用仕掛け収納ケースを示す斜視図であり、蓋部を開けた状態の斜視図である。
【図６】図５の従来の釣り用仕掛け収納ケースの仕掛け保持部を回動させた状態を示す要部斜視図である。
【発明を実施するための形態】
【００２９】
本発明においては、より多くの仕掛けを収納することができ、かつ、仕掛け保持部に仕掛けを着脱する（つまり、仕掛け保持部に仕掛けを保持したり仕掛け保持部から仕掛けを取り出したりする）際に、省スペースを図ることができ、さらには、仕掛けを保持させた仕掛け保持部をケース部に収納する際に、釣糸が散乱せずに仕掛け保持部を容易にケース部に収納することができる釣り用仕掛け収納ケースを提供するという目的を以下のようにして実現した。
【００３０】
本実施例の釣り用仕掛け収納ケース５は、図１〜図４に示すように構成され、ケース部１０と、ケース部１０に回動可能に設けられた第１仕掛け保持部１００と、第１仕掛け保持部１００に回動可能に設けられた第２仕掛け保持部２００とを有している。
【００３１】
ケース部１０は、図１〜図４に示すように構成され、本体部２０と、本体部２０に対して回動して開閉する蓋部３０とを有している。本体部（ケース部本体部）２０と蓋部３０とは、それぞれ、合成樹脂により一体に形成されている。
【００３２】
本体部２０は、容器状の容器状部２２と、容器状部２２の長手方向の端部に容器状部２２に対して回動可能に形成された係止部２４と、容器状部２２の係止部２４が形成された側の端部とは反対側の端部に構成されたヒンジ構成部２６とを有している。
【００３３】
容器状部２２は、容器状を呈し、略長方形状の板状の底面部２２ａと、底面部２２ａの周囲から立設した側壁部２２ｂ〜２２ｅとを有している。側壁部２２ｂ、２２ｄは底面部２２ａの長辺から立設し、側壁部２２ｃ、２２ｅは底面部２２ａの短辺から立設して形成されている。なお、側壁部２２ｂ〜２２ｅは、内周側の部分と該内周側の部分と隣接する外周側の部分とを有し、内周側の部分が外周側の部分よりも幅広に形成され上方に高く形成されている（つまり、底面部２２ａ側とは反対側に高く形成されている）。
【００３４】
なお、側壁部２２ｄの内側の面のヒンジ構成部２６形成側とは反対側の端部領域には、第２仕掛け保持部２００の爪部２１９ｂが係止する突状部２２ｄ−１が側方に突出して形成され、突状部２２ｄ−１は、底面部２２ａの平面状の内底面と略平行の略棒状（具体的には、断面三角形状の棒状）に形成されている。また、側壁部２２ｂの内側の面のヒンジ構成部２６形成側とは反対側の端部領域で、突状部２２ｄ−１の形成位置と対称の位置には、第２仕掛け保持部２００の爪部２１８ｂが係止する突状部（図示せず）が側方に突出して形成され、該突状部は、底面部２２ａの平面状の内底面と略平行の略棒状（具体的には、断面三角形状の棒状）に形成されている。
【００３５】
また、側壁部２２ｂ〜２２ｅの内周側の部分の外側で、外周側の部分の上面には、無端状の弾性部材２３（例えば、ゴム材）が固定して設けられている。この弾性部材２３は、蓋部３０を本体部２０に対して閉状態とした場合に、ケース部１０内を密閉して、水などの液体が内部に侵入しないようにするために設けられている。
【００３６】
係止部２４は、側壁部２２ｃ（具体的には、側壁部２２ｃの外周側の部分）に回動可能に形成され、蓋部３０の側壁部３２ｃの外側に設けられた突状部（図示せず）が挿通する開口部２４ａを有し、係止部２４を回動させて該突状部を開口部２４ａに挿通させることにより係止部２４が該突状部に係止する。
【００３７】
ヒンジ構成部２６は、側壁部２２ｅ（具体的には、側壁部２２ｅの外周側の部分）の上面に突設され、間隔を介して形成された一対の略円筒状の部材により形成されている。
【００３８】
また、側壁部２２ｂの内側の面のヒンジ構成部２６側には、板状の軸受部２８が固定した状態で設けられ、該軸受部２８の内側の面には、第１仕掛け保持部１００の本体部１０１の突出部１１２に設けられた円柱状の軸部（図示せず）を挿入するための凹部（円柱形状の空間を有する凹部）が形成されている。
【００３９】
また、側壁部２２ｄの内側の面のヒンジ構成部２６側で、軸受部２８形成位置と対称の位置には、板状の軸受部２９が固定した状態で設けられ、該軸受部２９の内側の面には、第１仕掛け保持部１００の本体部１０１の突出部１１３に設けられた円柱状の軸部（図示せず）を挿入するための凹部が形成されている。
【００４０】
ここで、軸受部２８、２９は、長方形状の板状の短辺側に半円状の板状を連設した形状を呈し、全体として、板状を呈し円弧状の端面と該円弧状の端面に連設された平面状の端面とを有した形状となっている。これにより重ね合わせた第１仕掛け保持部１００と第２仕掛け保持部２００を回動させることにより、突状部２０４ａ（突状部２０４ｂ）が軸受部２８（軸受部２９）の円弧状の端面から平面状の端面に差しかかった際に、平面状の端面に係止して回動が停止するように構成されている。
【００４１】
また、蓋部３０は、容器状の容器状部３２と、容器状部３２の長手方向の端部に形成された突状部と、容器状部３２の突状部が形成された側の端部とは反対側の端部に構成されたヒンジ構成部３６とを有している。
【００４２】
容器状部３２は、容器状を呈し、略長方形状の板状の上面部３２ａと、上面部３２ａの周囲から立設した側壁部３２ｂ〜３２ｅとを有している。側壁部３２ｂ、３２ｄは上面部３２ａの長辺から立設し、側壁部３２ｃ、３２ｅは上面部３２ａの短辺から立設して形成されている。なお、側壁部３２ｂ〜３２ｅは、内周側の部分と該内周側の部分と隣接する外周側の部分とを有し、外周側の部分が内周側の部分よりも幅広に形成され、蓋部３０を本体部２０に対して閉じた際に、容器状部３２の外周側の部分における内周側の部分から突出した部分が、容器状部２２の内周側の部分における外周側の部分から突出した部分の外側に位置する。
【００４３】
側壁部３２ｃの外側の面には、係止部２４の開口部２４ａが係止するための略平板状の突状部が形成されている。
【００４４】
また、ヒンジ構成部３６は、側壁部３２ｅの外側の面に突設され、略円筒状の部材により形成され、一対のヒンジ構成部２６間の長さと略同一に形成され、ヒンジ構成部３６を一対のヒンジ構成部２６間に配置し、棒状の挿通部材４０を挿通することによりヒンジが構成される。
【００４５】
また、蓋部３０は、透明部材により形成されており、蓋部３０を本体部２０に対して閉じた状態でも、蓋部３０を介して、内部を視認することができる。なお、図１では、蓋部３０は不透明部材のように描かれているが、実際には、透明部材により形成され、内部を視認できるようになっている。なお、蓋部３０は、透明部材でなくても、半透明部材等透光性を有する部材としてもよい。
【００４６】
なお、ヒンジ構成部２６、３６の中心軸、すなわち、本体部２０と蓋部３０の一方が他方に対して回動する回動中心が、第１回動中心（第１回動中心軸としてもよい）となる。
【００４７】
また、第１仕掛け保持部１００は、全体に略長方形状の略板状を呈し、合成樹脂により形成された本体部（第１仕掛け保持部本体部）１０１と、本体部１０１の一方の面（第１仕掛け保持部１００を本体部２０に収納した状態で本体部２０の底面部２２ａと対向する面）に設けられた釣針保持部収納部（第１釣針保持部収納部）１０１−１に嵌合された釣針保持部（第１釣針保持部）１３０と、本体部１０１の該一方の面とは反対側の面である他方の面の先端側（回転中心側とは反対側の端部側）に設けられた釣糸保持部収納部１０１−２に嵌合された釣糸保持部（第１釣糸保持部）１４０とを有している。なお、第１仕掛け保持部１００において、長手方向における回転中心側が基端側であり、該基端側とは反対側が先端側であるとする。
【００４８】
ここで、本体部１０１は、略長方形状の板状部１０２と、板状部１０２の一方の長辺に板状部１０２に対して直角に連設された帯状（略細長長方形状としてもよい）の板状部１０４と、板状部１０２の他方の長辺に板状部１０２に対して直角に連設された帯状（略細長長方形状としてもよい）の板状部１０６と、板状部１０２の一方の短辺（基端側の短辺）に板状部１０２に対して直角に連設された帯状（細長長方形状としてもよい）の板状部１０８と、板状部１０２の他方の短辺（先端側の短辺）に板状部１０２に対して直角に連設された帯状（細長長方形状としてもよい）の板状部１１０と、板状部１０４の外側の面の基端側から突出した板状の突出部１１２と、板状部１０６の外側の面の基端側から突出した板状の突出部１１３と、板状部１１０の本体部１０１における一方の面側の端部から先端側に板状部１１０と直角（略直角としてもよい）に連設されるとともに、板状部１０４及び板状部１０６の連設された断面略Ｌ字状に屈曲した屈曲板状部（第１先端部）１１４と、屈曲板状部１１４の本体板部１１４ａから本体部１０１の他方の面側に板状に突出して形成され板状部１１０と略平行に形成された突状部１１６と、板状部１０４の本体部１０１の他方の面側の端部における先端側から突出して形成された爪部（第１爪部）１１８と、板状部１０６の本体部１０１の他方の面側の端部における先端側から突出して形成された爪部（第１爪部）１１９と、屈曲板状部１１４の本体板部１１４ａの回動軸の方向Ｐの方向の一方の端部側における先端側から本体板部１１４ａに立設して形成された断面略Ｌ字状に屈曲した屈曲板状部１２０と、屈曲板状部１１４の本体板部１１４ａの回動軸の方向Ｐにおける他方の端部側における先端側（つまり、屈曲板状部１２０の形成位置と対称の位置）から本体板部１１４ａに立設して形成された断面略Ｌ字状に屈曲した屈曲板状部１２１とを有している。
【００４９】
回動軸の方向Ｐは、第１仕掛け保持部１００が本体部２０に対して回動する回動軸（第１仕掛け保持部１００の一対の軸部で軸受部２８、２９に挿通する軸部を結ぶ軸線、この回動軸が第２回動中心を通る）の方向であり、また、第２仕掛け保持部２００が第１仕掛け保持部１００に対して回動する回動軸（第２仕掛け保持部２００の一対の軸部で突出部１１２、１１３に設けられた穴部に挿通する軸部を結ぶ軸線、この回動軸が第３回動中心を通る）の方向でもある。つまり、第１仕掛け保持部１００が本体部２０に対して回動する回動軸と、第２仕掛け保持部２００が第１仕掛け保持部１００に対して回動する回動軸とは平行となっている。
【００５０】
板状部１０４、１０６、１０８、１１０は、板状部１０２に対して本体部１０１の一方の面側に突出するとともに、板状部１０４、１０６、１０８は、板状部１０２に対して本体部１０１の他方の面側にも突出している。板状部１０４、１０６、１０８において、他方の面側に突出する長さは、一方の面側に突出する長さよりも小さく形成されている。板状部１０４、１０６、１０８、１１０における板状部１０２から本体部１０１の一方の面側への突出長さは、互いに同一（略同一としてもよい）に形成され（特に、板状部１０４の屈曲板状部１２０が連設されてない部分と、板状部１０６の屈曲板状部１２１が連設されてない部分と、板状部１０８とにおける本体部１０１の一方の面側の面は、面一に形成されている）、板状部１０４、１０６、１０８における板状部１０２から本体部１０１の他方の面側への突出長さは、互いに同一（略同一としてもよい）に形成され、板状部１０４の板状部１０８との連結する個所よりも先端側の部分と、板状部１０６の板状部１０８との連結する個所よりも先端側の部分と、板状部１０８の本体部１０１の他方の面側の面は、面一に形成されている。
【００５１】
なお、板状部１０４、１０６、１０８が板状部１０２から本体部１０１の他方の面側に突出して、本体部１０１の他方の面における釣糸保持部１０２ａの形成領域の基端側と該基端側と略直角方向の一対の側が凸状に突出して形成されているのは、釣糸保持部１０２ａが板状部１０２の本体部１０１の他方の面側の面から突出して形成されているので、第１仕掛け保持部１００と第２仕掛け保持部２００とを重ね合わせた際に、板状部１０４と板状部２０４とが接し、板状部１０６と板状部２０６とが接するためであり、また、第１仕掛け保持部１００と第２仕掛け保持部２００とを重ね合わせた際に、第１仕掛け保持部１００と第２仕掛け保持部２００の間に釣糸を収納する空間を確保するためである。
【００５２】
板状部１０２は、本体部１０１の他方の面側に複数（図においては、６つ）の釣糸保持部（第２釣糸保持部）１０２ａを有し、釣糸保持部１０２ａは、細長長方形状の短辺に半円形状をつなげた形状を呈し、Ｕ字状の開口部１０２ｂと、Ｕ字状の開口部１０２ｂの一対の直線部から連設された一対の切込み１０２ｃにより形成されている。６つの釣糸保持部１０２ａは、本体部１０１の先端側と基端側間の方向において、３個所に異なる個所に２つずつ配設されている。板状部１０４側の３つの釣糸保持部１０２ａと板状部１０６側の３つの釣糸保持部１０２ａとは対称に設けられている。また、６つの釣糸保持部１０２ａにおいて、開口部１０２ｂと切込み１０２ｃとが接する位置は、回動軸の方向Ｐにおいて、異なる位置に形成されている。
【００５３】
板状部１０４、１０６は、略細長長方形状に形成され、全体に同幅（略同幅としてもよい）に形成されているが、基端側は、図３に示すように、板状部１０２から本体部１０１の他方の面側に突出していないので、やや幅狭に形成されている。
【００５４】
突出部１１２、１１３には、円柱状の軸部（図示せず）が外側に突出して形成されている。該軸部は、軸受部２８の凹部と軸受部２９の凹部に挿入して設けられ、これにより、第１仕掛け保持部１００が軸受部２８、２９に対して回動する。つまり、第１仕掛け保持部１００が、第１仕掛け保持部１００を本体部２０に収納した状態における本体部１０１の基端側の端部領域と本体部２０の内部におけるヒンジ部側の端部領域とに設けられた回動中心（第２回動中心）を中心に、本体部２０に対して回動可能となっている。
【００５５】
なお、軸受部２８、２９の凹部に挿入された軸部の中心軸と軸受部２８、２９における該軸部が挿入された軸部の中心軸、すなわち、ケース部１０の本体部２０と第１仕掛け保持部１００の一方が他方に対して回動する回動中心が、第２回動中心（第２回動中心軸としてもよい）となる。
【００５６】
また、突出部１１２は、板状部１０４の本体部１０１の他の面側に突出して形成され、該突出した部分には、第２仕掛け保持部２００の本体部２０１の板状部２０４から外側に突出して形成された軸部が挿通する穴部が１１２ａが形成されている。なお、穴部１１２ａは、突出部１１２を貫通する構成であるが、突出部１１２の内側に設けられた凹状の穴部としてもよい。同様に、突出部１１３は、板状部１０６の本体部１０１の他の面側に突出して形成され、該突出した部分には、第２仕掛け保持部２００の本体部２０１の板状部２０６から外側に突出して形成された軸部が挿通する円形の穴部（穴部１１２ａと同様の構成の穴部）が形成されている。
【００５７】
屈曲板状部（第１先端部）１１４は、本体板部１１４ａと本体板部１１４ａの先端側の端部から連設された突状部１１４ｂとから構成され、本体板部１１４ａは、板状部１１０の本体部１０１の一方の面側の端部と、板状部１０４の先端側の本体部１０１の一方の面側の端部と、板状部１０６の先端側の本体部１０１の一方の面側の端部とから連設され、略板状を呈している。また、突状部１１４ｂは、本体板部１１４ａの先端側の端部から本体部１０１の他方の面側に略直角に突出している。突状部１１４ｂと突状部１１６の本体部１０１の他方の面側の高さは同一（略同一としてもよい）に形成されている。つまり、突状部１１４ｂが本体板部１１４ａから突出する長さと突状部１１６が本体板部１１４ａから突出する長さは同一（略同一としてもよい）に形成されている。つまり、屈曲板状部１１４は、釣針保持部収納部１０１−１（後述）よりも先端側に形成されている。
【００５８】
なお、屈曲板状部１１４の本体部１０１の一方の面側の面から先端側の面にかけて、つまり、本体板部１１４ａにおける本体部１０１の一方の面側の面と、突状部１１４ｂにおける先端側の面には、複数の溝部Ｍが形成されている。これらの溝部Ｍは、釣針保持部１３０に形成されている切込みの数と同じ数が間隔を介して設けられている。これらの溝部Ｍは、釣針保持部１３０に保持された釣針に連結された釣糸を反対側の面に案内する際に、釣糸を溝部Ｍ内に位置させる。なお、屈曲板状部１１４における溝部Ｍが形成された面が、釣糸をターンさせるための案内面となる。
【００５９】
爪部１１８、１１９は、板状部１０４、１０６における本体部１０１の他方の面側（つまり、本体部１０１における基端側と直角方向（略直角方向としてもよい）の一対の側の端部領域）から突出し、それらの略断面三角形状の爪部本体は、外側に突出して形成されている。爪部１１８は、第１仕掛け保持部１００と第２仕掛け保持部２００とが重なった状態では、第２仕掛け保持部２００における開口部２１８−１を挿通し、略コ字状の突出部２１８ａに係止し、爪部１１９は、第１仕掛け保持部１００と第２仕掛け保持部２００とが重なった状態では、第２仕掛け保持部２００における開口部２１９−１を挿通し、略コ字状の突出部２１９ａに係止する。
【００６０】
屈曲板状部１２０は、本体板部１１４ａから本体板部１１４ａに対して略直角に突出し、先端側と基端側とを結ぶ方向に伸びた板状部１２０ａと、該板状部１２０ａの先端から外側に板状部１２０ａに直角に伸びた板状部１２０ｂとから構成されている。また、屈曲板状部１２１は、屈曲板状部１２０と対称に形成され、本体板部１１４ａから本体板部１１４ａに対して略直角に突出し、先端側と基端側とを結ぶ方向に伸びた板状部１２１ａと、該板状部１２１ａの先端から外側に板状部１２１ａに直角に伸びた板状部１２１ｂとから構成されている。これらの屈曲板状部１２０、１２１は、第１仕掛け保持部１００を本体部２０内に収納した際に、底面部２２ａに接し、釣針保持部１３０に保持された釣針のための空間を確保するものである。
【００６１】
また、釣針保持部（第１釣針保持部）１３０は、板状部１０２と板状部１０４と板状部１０６と板状部１０８と板状部１１０とで囲まれた空間内に嵌合して設けられ、直方体形状（略直方体形状としてもよい）の弾性部材（例えば、発泡ポリエチレン、発泡ウレタン、発泡ゴム等の発泡合成樹脂）により形成されている。釣針保持部１３０には、複数の切込み１３０ａが互いに平行に形成され、切込み１３０ａに、釣り用の仕掛けにおける釣り針（具体的には、チラシ針）が保持される。これらの切込み１３０ａは、釣針保持部１３０の長手方向の先端側の端部と間隔を介した位置から後端側の端部と間隔を介した位置まで直線状に形成され、一方の面側から他方の面側に貫通して形成されている。なお、切込み１３０ａを一方の面側から他方の面側まで貫通させず、釣針を保持できる程度の深さに形成してもよい。各切込み１３０ａは、それぞれ、屈曲板状部１１４に形成された各溝部Ｍの延長線上に形成されている。
【００６２】
なお、本体部１０１における釣針保持部１３０を収納する部分、すなわち、板状部１０２における板状部１０４、１０６、１０８、１１０で囲まれた領域と、板状部１０４、１０６、１０８、１１０における該領域から本体部１０１の一方の面側に突出した部分とが、釣針保持部収納部１０１−１となる。
【００６３】
また、釣糸保持部（第１釣糸保持部）１４０は、屈曲板状部１１４の本体板部１１４ａと突状部１１４ｂと突状部１１６とで囲まれた空間内に嵌合して設けられ、突状部１１４ｂ、１１６から突出して形成されている。釣糸保持部１４０は、回動軸の方向Ｐと平行（略平行としてもよい）な方向を長手辺とした略直方体の弾性部材（例えば、発泡ポリエチレン、発泡ウレタン、発泡ゴム等の発泡合成樹脂）により形成され、突状部１１４ｂ、１１６からの突出部分には、複数の切込み１４０ａが互いに平行（略平行としてもよい）に形成されている。切込み１４０ａは、一方の面（露出側の面）から他方の面まで貫通させず形成され、少なくとも釣糸保持部１４０が露出した部分に切込み１４０ａが形成されている。なお、隣接する切込み１４０ａの間隔は、隣接する溝部Ｍの間隔や隣接する切込み１３０ａの間隔と同一（略同一としてもよい）に形成されている。
【００６４】
なお、本体部１０１における釣糸保持部１４０を収納する部分、すなわち、突状部１１６と、屈曲板状部１１４における突状部１１６よりも先端側の部分と、板状部１０４、１０６の先端側の部分とが、釣糸保持部収納部１０１−２となる。
【００６５】
また、第２仕掛け保持部２００は、全体に略長方形状の略板状を呈し、合成樹脂により形成された本体部（第２仕掛け保持部本体部）２０１と、本体部２０１の一方の面（第２仕掛け保持部２００を第１仕掛け保持部１００に重ねた状態で、第１仕掛け保持部１００側とは反対側の面）に設けられた釣針保持部収納部２０１−１に嵌合された釣針保持部（第２釣針保持部）２３０と、本体部２０１の該一方の面とは反対側の面である他方の面の先端側（回転中心側とは反対側の端部側）に設けられた釣糸保持部収納部２０１−２に嵌合された釣糸保持部（第３釣糸保持部）２４０とを有している。なお、第２仕掛け保持部２００において、長手方向における回転中心側が基端側であり、該基端側とは反対側が先端側であるとする。
【００６６】
ここで、本体部２０１は、略長方形状の板状部２０２と、板状部２０２の一方の長辺に板状部２０２に対して直角に連設された帯状（略細長長方形状としてもよい）の板状部２０４と、板状部２０２の他方の長辺に板状部２０２に対して直角に連設された帯状（略細長長方形状としてもよい）の板状部２０６と、板状部２０２の一方の短辺（基端側の短辺）に板状部２０２に対して直角に連設された帯状（細長長方形状としてもよい）の板状部２０８と、板状部２０２の他方の短辺（先端側の短辺）に板状部２０２に対して直角に連設された帯状（細長長方形状としてもよい）の板状部２１０と、板状部２０４の外側の面の基端側から突出した円柱状の軸部（図示せず）と、板状部２０６の外側の面の基端側から突出した円柱状の軸部（図示せず）と、板状部２１０の本体部２０１における一方の面側の端部から先端側に板状部２１０と直角（略直角としてもよい）に連設されるとともに、板状部２０４及び板状部２０６の連設された断面略Ｌ字状に屈曲した屈曲板状部２１４と、屈曲板状部２１４の本体板部２１４ａから本体部２０１の他方の面側に板状に突出して形成され板状部２１０と略平行に形成された突出部（図示せず）と、板状部２０４の先端側における外側の面に突出して略コ字状に形成され、板状部２０４との間で開口部２１８−１を形成する突出部２１８ａと、板状部２０６の先端側における外側の面に突出して略コ字状に形成され、板状部２０６との間で開口部２１９−１を形成する突出部２１９ａと、突出部２１８ａの本体部２０１の他方の面側の端部（つまり、開口部２１８−１の縁部）から突出して形成された爪部（第２爪部）２１８ｂと、突状部２１９ｂの本体部２０１の他方の面側の端部（つまり、開口部２１９−１の縁部）から突出して形成された爪部（第２爪部）２１９ｂと、屈曲板状部２１４の本体板部２１４ａの回動軸の方向Ｐにおける一方の端部側における先端側から本体板部２１４ａに立設して形成された断面略Ｌ字状に屈曲した屈曲板状部２２０と、屈曲板状部２１４の本体板部２１４ａの回動軸の方向Ｐにおける他方の端部側における先端側（つまり、屈曲板状部２２０の形成位置と対称の位置）から本体板部２１４ａに立設して形成された断面略Ｌ字状に屈曲した屈曲板状部２２１とを有している。
【００６７】
板状部２０４、２０６、２０８、２１０は、板状部２０２に対して本体部２０１の一方の面側に突出するとともに、板状部２０４、２０６、２０８は、板状部２０２に対して本体部２０１の他方の面側にも突出している。板状部２０４、２０６、２０８において、他方の面側に突出する長さは、一方の面側に突出する長さよりも小さく形成されている。板状部２０４、２０６、２０８、２１０における板状部１０２から本体部１０１の一方の面側への突出長さは、互いに同一（略同一としてもよい）に形成され（特に、板状部２０４の屈曲板状部２２０が連設されてない部分と、板状部２０６の屈曲板状部２２１が連設されてない部分と、板状部２０８とにおける本体部２０１の一方の面側の面は、面一に形成されている）、板状部２０４、２０６、２０８における板状部２０２から本体部２０１の他方の面側への突出長さは、互いに同一（略同一としてもよい）に形成され、板状部２０４の板状部２０８との連結する個所よりも先端側の部分と、板状部２０６の板状部２０８との連結する個所よりも先端側の部分と、板状部２０８の本体部２０１の他方の面側の面は、面一に形成されている。
【００６８】
なお、板状部２０４、２０６、２０８が板状部２０２から本体部２０１の他方の面側に突出して、本体部２０１の他方の面における釣糸保持部２０２ａの形成領域の基端側と該基端側と略直角方向の一対の側が凸状に突出して形成されているのは、釣糸保持部（第４釣糸保持部）２０２ａが板状部２０２の本体部２０１の他方の面側の面から突出して形成されているので、第１仕掛け保持部１００と第２仕掛け保持部２００とを重ね合わせた際に、板状部１０４と板状部２０４とが接し、板状部１０６と板状部２０６とが接するためであり、また、第１仕掛け保持部１００と第２仕掛け保持部２００とを重ね合わせた際に、第１仕掛け保持部１００と第２仕掛け保持部２００の間に釣糸を収納する空間を確保するためである。
【００６９】
板状部２０２は、本体部２０１の他方の面側に複数（図においては、６つ）の釣糸保持部２０２ａを有し、釣糸保持部２０２ａは、細長長方形状の短辺に半円形状をつなげた形状を呈し、Ｕ字状の開口部２０２ｂと、Ｕ字状の開口部２０２ｂの一対の直線部から連設された一対の切込み２０２ｃにより形成されている。釣糸保持部２０２ａは、釣糸保持部１０２ａと同一の構成である。また、釣糸保持部１０２ａと同様に、６つの釣糸保持部２０２ａは、本体部２０１の先端側と基端側間の方向において、３個所に異なる個所に２つずつ配設されている。板状部２０４側の３つの釣糸保持部２０２ａと板状部２０６側の３つの釣糸保持部２０２ａとは対称に設けられている。また、６つの釣糸保持部２０２ａにおいて、開口部２０２ｂと切込み２０２ｃとが接する位置は、回動軸の方向Ｐにおいて、異なる位置に形成されている。
【００７０】
板状部２０４、２０６は、略細長長方形状に形成され、全体に同幅（略同幅としてもよい）に形成されている。なお、板状部２０４における略コ字状の突出部２１８ａの個所には凹部が形成され、板状部２０４の先端部分の内側には、切欠部が形成されている。同様に、板状部２０６における略コ字状の突出部２１９ａの個所には凹部が形成され、板状部２０６の先端部分の内側には、切欠部が形成されている。
【００７１】
板状部２０４の基端側には、円柱状の軸部２０５が外側（回動軸Ｐの方向の外側）に突出して形成されている。該軸部２０５は、突出部１１２に設けられた穴部１１２ａに挿通して設けられている。また、板状部２０６の基端側には、円柱状の軸部（軸部２０５と同様の構成の軸部）が外側（回動軸Ｐの方向の外側）に突出して形成されている。該軸部は、突出部１１３に設けられた穴部（穴部１１２ａと同様の構成の穴部）に挿通して設けられている。これにより、第２仕掛け保持部２００が第１仕掛け保持部１００に対して回動する。つまり、第２仕掛け保持部２００が、本体部１０１の基端側の端部領域と第２仕掛け保持部２００と第１仕掛け保持部１００とを重ね合わせた状態における本体部２０１における本体部１０１の基端側の端部領域に対応する領域である基端側の端部領域とに設けられた回動中心（第３回動中心）を中心に、第１仕掛け保持部１００に対して回動可能となっている。
【００７２】
突出部１１２、１１３の穴部に挿入された軸部の中心軸と突出部１１２、１１３の該穴部が挿入された軸部の中心軸、すなわち、第１仕掛け保持部１００と第２仕掛け保持部２００の一方が他方に対して回動する回動中心が、第３回動中心（第３回動中心軸としてもよい）となる。なお、第１回動中心と第２回動中心と第３回動中心とは、互いに平行となっている。つまり、第１回動中心を通る中心線と第２回動中心を通る中心線と第３回動中心を通る中心線とは、互いに平行となっている。
【００７３】
なお、板状部２０４、２０６に穴部を設けて、突出部１１２、１１３に該穴部に挿通する軸部を内側に突出して設けてもよい。
【００７４】
また、板状部２０４の外側（回動軸Ｐの方向の外側）で該軸部形成位置より先端側の位置には、突状部２０４ａが外側に突出して設けられ、該突状部２０４ａは、板状部２０４の外側の面と平行な面における断面形状が台形形状（本体部２０１の他方の面側の辺部が一方の面側の辺部よりも短い台形形状）に形成され、第１仕掛け保持部１００と第２仕掛け保持部２００とを重ね合わせた状態で蓋部３０側に回動させた場合に、該突状部２０４ａが軸受部２８に接触して、重ね合わせた状態の第１仕掛け保持部１００と第２仕掛け保持部２００を本体部２０に対して所定の角度の位置で回動を停止させるストッパの機能を果たしている。つまり、突状部２０４ａが軸受部２８の平面状の端面に係止し、突状部２０４ｂが軸受部２９の平面状の端面に係止して、蓋部３０を本体部２０に対して開いた状態で、第２仕掛け保持部２００に保持させた釣針が側壁部２２ｅの上端や側壁部３２ｅの上端やヒンジ部に接触しないように、重なった状態の第１仕掛け保持部１００と第２仕掛け保持部２００を所定の角度で停止させる。
【００７５】
また、板状部２０６の外側（回動軸Ｐの方向の外側）で該軸部形成位置より先端側の位置には、突状部２０６ａが外側に突出して設けられている。この突状部２０６ａの構成や作用は、突状部２０４ａと同様であり、第１仕掛け保持部１００と第２仕掛け保持部２００とを重ねた状態で蓋部３０側に回動させた場合に、該突状部２０６ａが軸受部２９に接触して、重なった状態の第１仕掛け保持部１００と第２仕掛け保持部２００を本体部２０に対して所定の角度の位置で回動を停止させるストッパの機能を果たしている。
【００７６】
なお、板状部２０４の外側の面と板状部２０６の外側の面の間の長さは、板状部１０４の外側の面と板状部１０６の外側の面の間の長さと同一（略同一としてもよい）に形成されている。以上のように、突状部２０４ａ、２０６ａが、本体部２０１の基端側と直角方向（略直角方向としてもよい）の一対の側（第３回動中心の方向の両側としてもよい）の面に突出して設けられている。
【００７７】
屈曲板状部（第２先端部）２１４は、本体板部２１４ａと本体板部２１４ａの先端側の端部から連設された突状部２１４ｂとから構成され、本体板部２１４ａは、板状部２１０の本体部２０１の一方の面側の端部と、板状部２０４の先端側の本体部２０１の一方の面側の端部と、板状部２０６の先端側の本体部２０１の一方の面側の端部とから連設され、略板状を呈している。また、本体板部２１４ａの回動軸の方向Ｐにおける両側には、第１仕掛け保持部１００と第２仕掛け保持部２００とを重ねた際に、爪部１１８、１１９を位置させるための切欠部が形成されている。また、突状部２１４ｂは、本体板部２１４ａの先端側の端部から本体部２０１の他方の面側に略直角に突出している。突状部２１４ｂと突出部（突状部１１６と同様の構成の突状部２１４ｂと平行に形成された突出部、以下「平行突出部」とする）の本体部２０１の他方の面側の高さは略同一に形成されている。つまり、突状部２１４ｂが本体板部２１４ａから突出する長さと平行突出部が本体板部２１４ａから突出する長さは同一（略同一としてもよい）に形成されている。つまり、屈曲板状部２１４は、釣針保持部収納部２０１−１（後述）よりも先端側に形成されている。
【００７８】
なお、屈曲板状部２１４の本体部２０１の一方の面側の面から先端側の面にかけて、つまり、本体部２１４ａにおける本体部２０１の一方の面側の面と、突状部２１４ｂにおける先端側の面には、複数の溝部Ｎが形成されている。これらの溝部Ｎは、釣針保持部２３０に形成されている切込みの数と同じ数が間隔を介して設けられている。これらの溝部Ｎは、釣針保持部２３０に保持された釣針に連結された釣糸を反対側の面に案内する際に、釣糸を溝部Ｎ内に位置させる。なお、屈曲板状部２１４における溝部Ｎが形成された面が、釣糸をターンさせるための案内面となる。
【００７９】
爪部２１８ｂ、２１９ｂは、板状部２０４、２０６における本体部２０１の他方の面側から突出し、それらの略断面三角形状の爪部本体は、外側に突出して形成されている。
【００８０】
屈曲板状部２２０は、本体板部２１４ａから本体板部２１４ａに対して直角に突出し、先端側と基端側とを結ぶ方向に伸びた板状部２２０ａと、該板状部２２０ａの先端から外側に板状部２２０ａに直角に伸びた板状部２２０ｂとから構成されている。また、屈曲板状部２２１は、屈曲板状部２２０と対称に形成され、本体板部２１４ａから本体板部２１４ａに対して直角に突出し、先端側と基端側とを結ぶ方向に伸びた板状部２２１ａと、該板状部２２１ａの先端から外側に板状部２２１ａに直角に伸びた板状部２２１ｂとから構成されている。これらの屈曲板状部２２０、２２１は、第１仕掛け保持部１００を本体部２０内に収納し、さらに、第２仕掛け保持部２００と第１仕掛け保持部１００に重ね合わせ、さらに、蓋部３０を閉じた際に、上面部３２ａに接し、釣針保持部２３０に保持された釣針のための空間を確保するものである。
【００８１】
また、釣針保持部２３０は、板状部２０２と板状部２０４と板状部２０６と板状部２０８と板状部２１０とで囲まれた空間内に嵌合して設けられ、釣針保持部１３０と同様の構成となっている。すなわち、釣針保持部２３０は、直方体形状（略直方体形状としてもよい）の弾性部材（例えば、発泡ポリエチレン、発泡ウレタン、発泡ゴム等の発泡合成樹脂）により形成され、釣針保持部２３０には、複数の切込み２３０ａが互いに平行に形成され、切込み２３０ａに、釣り用の仕掛けにおける釣り針（具体的には、チラシ針）が保持される。これらの切込み２３０ａは、釣針保持部２３０の長手方向の先端側の端部と間隔を介した位置から後端側の端部と間隔を介した位置まで直線状に形成され、一方の面側から他方の面側に貫通して形成されている。なお、切込み２３０ａを一方の面側から他方の面側まで貫通させず、釣針を保持できる程度の深さに形成してもよい。各切込み２３０ａは、それぞれ、屈曲板状部２１４に形成された各溝部Ｎの延長線上に形成されている。
【００８２】
なお、本体部２０１における釣針保持部２３０を収納する部分、すなわち、板状部２０２における板状部２０４、２０６、２０８、２１０で囲まれた領域と、板状部２０４、２０６、２０８、２１０における該領域から本体部２０１の一方の面側に突出した部分とが、釣針保持部収納部（第２釣針保持部収納部）２０１−１に当たる。
【００８３】
また、釣糸保持部２４０は、屈曲板状部２１４の本体板部２１４ａと突状部２１４ｂと平行突状部（突状部１１６と同様の構成の突状部）とで囲まれた空間内に嵌合して設けられ、突状部２１４ｂ及び平行突状部から突出して形成されている。釣糸保持部２４０は、釣糸保持部１４０と同様の構成であり、回動軸の方向Ｐと平行（略平行としてもよい）な方向を長手辺とした略直方体の弾性部材（例えば、発泡ポリエチレン、発泡ウレタン、発泡ゴム等の発泡合成樹脂）により形成され、突状部２１４ｂ及び平行突状部からの突出部分には、複数の切込み２４０ａが互いに平行（略平行としてもよい）に形成されている。切込み２４０ａは、一方の面（露出側の面）から他方の面まで貫通させず形成され、少なくとも釣糸保持部２４０が露出した部分に切込み２４０ａが形成されている。なお、隣接する切込み２４０ａの間隔は、隣接する溝部Ｎの間隔や隣接する切込み２３０ａの間隔と同一（略同一としてもよい）に形成されている。
【００８４】
なお、本体部２０１における釣糸保持部２４０を収納する部分、すなわち、突状部２１６と、屈曲板状部２１４における平行突状部よりも先端側の部分と、板状部２０４、２０６の先端側の部分とが、釣糸保持部収納部２０１−２となる。
【００８５】
上記構成の釣り用仕掛け収納ケース５の使用状態について説明する。まず、釣り用仕掛け収納ケース５が閉状態の場合には、第１仕掛け保持部１００が本体部２０内に収納され、第２仕掛け保持部２００が第１仕掛け保持部１００に重ね合った状態で、さらに、蓋部３０が本体部２０に対して閉じた状態であり、係止部２４が蓋部３０に設けられた突状部に係止した状態となっている。
【００８６】
仕掛けを釣り用仕掛け収納ケース５に収納するには、ケース部１０の蓋部３０を本体部２０に対して図２に示すように開けた状態とする。なお、第１仕掛け保持部１００と第２仕掛け保持部２００とが重なった状態で、第１仕掛け保持部１００が本体部２０に収納された状態では、爪部２１９ｂが本体部２０の側壁部２２ｄの内側に設けられた突状部２２ｄ−１に係止し、爪部２１８ｂが本体部２０の側壁部２２ｂの内側に設けられた突状部に係止していて、図２の状態から逆さまにしても、第１仕掛け保持部１００や第２仕掛け保持部２００が本体部２０から脱落することがない。なお、第２仕掛け保持部２００を本体部２０から引き出すことにより、爪部２１８ｂ、２１９ｂの係止を解除することができる。
【００８７】
ここで、第２仕掛け保持部２００に仕掛けを保持するには、図２に示すように、第１仕掛け保持部１００が本体部２０内に収納され、第２仕掛け保持部２００が第１仕掛け保持部１００に重ね合った状態で、釣針保持部２３０の切込み２３０ａに仕掛け３００（仕掛け３００は、魚釣り用の仕掛けであり、釣針３０２に釣糸３０４を取り付けた構成となっている）における釣針３０２（例えば、チラシ針）を差し込んで釣針保持部２３０に保持させる。
【００８８】
その後、第２仕掛け保持部２００を第１仕掛け保持部１００に対して回動させて、第２仕掛け保持部２００の先端側と第１仕掛け保持部１００の先端側とが離間した状態とする。なお、第２仕掛け保持部２００の先端側と第１仕掛け保持部１００の先端側とが離間した状態とするには、爪部１１８の外側と爪部１１９の外側とを内側に押さえながら、第２仕掛け保持部２００を第１仕掛け保持部１００に対して引き出すことにより、第２仕掛け保持部２００のみを回動させて、第２仕掛け保持部２００の先端側と第１仕掛け保持部１００の先端側とを離間させることができる。
【００８９】
第２仕掛け保持部２００の先端側と第１仕掛け保持部１００の先端側とが離間した状態としたら、仕掛け３００における釣糸３０４を第２仕掛け保持部２００の先端側に案内して釣針３０２を差し込んだ切込み２３０ａの位置に対応した溝部Ｎに沿って該溝部Ｎに配置し、釣糸３０４を突状部２１４ｂにおいて反転させて、釣糸保持部２４０における切込み２４０ａに差し込み（釣糸３０４を配置した溝部Ｎの位置に対応した切込み２４０ａに差し込むのが好ましい）、さらに、釣糸を釣糸保持部２０２ａに係止することにより、仕掛け３００を保持させて、図３に示す状態とする。
【００９０】
また、第１仕掛け保持部１００に仕掛けを保持するには、第１仕掛け保持部１００を本体部２０に対して回動させて、図４に示すように、第１仕掛け保持部１００の釣針保持部１３０が露出した状態とし、上記の第２仕掛け保持部２００への保持の方法と同様の方法で仕掛けを保持させる。すなわち、釣針保持部１３０の切込み１３０ａに仕掛け３００における釣針３０２（例えば、チラシ針）を差し込んで釣針保持部１３０に保持させ、その後、第１仕掛け保持部１００を第２仕掛け保持部２００に対して回動させて、第１仕掛け保持部２００の先端側と第２仕掛け保持部２００の先端側とが離間した状態とし、仕掛け３００における釣糸３０４を第１仕掛け保持部１００の先端側に案内して釣針３０２を差し込んだ切込み１３０ａの位置に対応した溝部Ｍに沿って該溝部Ｍに配置し、釣糸３０４を突状部１１４ｂにおいて反転させて、釣糸保持部１４０における切込み１４０ａに差し込み（釣糸３０４を配置した溝部Ｍの位置に対応した切込み１４０ａに差し込むのが好ましい）、さらに、釣糸を釣糸保持部１０２ａに係止することにより、仕掛け３００を保持させる。
【００９１】
なお、図４のように、第１仕掛け保持部１００と第２仕掛け保持部２００とが重なった状態で蓋部３０側に回動した状態では、ストッパとしての突状部２０４ａ、２０６ａが、軸受部２８、２９に係止するので、第１仕掛け保持部１００と第２仕掛け保持部２００とが所定の位置で停止した状態となる。
【００９２】
仕掛け３００を保持させたら、図４に示すように、第１仕掛け保持部１００と第２仕掛け保持部２００とを重ねた状態とし（第１仕掛け保持部１００と第２仕掛け保持部２００とが重なった状態では、爪部１１８が開口部２１８−１に挿通して、略コ字状の突出部２１８ａに係止するとともに、爪部１１９が開口部２１９−１に挿通して、略コ字状の突出部２１９ａに係止する）、第１仕掛け保持部１００と第２仕掛け保持部２００を本体部２０側に回動させて、第１仕掛け保持部１００を本体部２０に収納し、さらに、蓋部３０を本体部２０に対して回動させて、蓋部３０を閉状態とする。
【００９３】
なお、第１仕掛け保持部１００の本体部１０１の他方の面側において、板状部１０４、１０６、１０８が突出して、釣糸保持部１０２ａが形成された領域の先端側以外の周囲が囲まれていて、また、第２仕掛け保持部２００の本体部２０１の他方の面側において、板状部２０４、２０６、２０８が突出して、釣糸保持部２０２ａが形成された領域における先端側以外の周囲が囲まれているので、第１仕掛け保持部１００と第２仕掛け保持部２００とを重ね合わせて、板状部１０４と板状部２０４とが重なり、板状部１０６と板状部２０６とが重なり、板状部１０８と板状部２０８とが重なった状態では、本体部１０１と本体部２０２の間に釣糸を収納する空間が形成される。
【００９４】
以上のように、本実施例における釣り用仕掛け収納ケース５によれば、ケース部１０に第１仕掛け保持部１００が回動自在に軸支され、さらに、第２仕掛け保持部２００が第１仕掛け保持部１００に回動自在に軸支されているので、多くの仕掛けを収納することができる。
【００９５】
また、第１仕掛け保持部１００は、本体部２０のヒンジ部側に軸支され、第２仕掛け保持部２００は、第１仕掛け保持部１００の基端側に軸支されているので、ケース部１０を開いた状態で、第１仕掛け保持部１００や第２仕掛け保持部２００を回動させても、釣り用仕掛け収納ケース５が長手方向に大きなスペースを必要とせず、仕掛け保持部４００に仕掛けを保持したり取り出したりする際に省スペースを図ることができる。
【００９６】
また、仕掛けにおける釣糸は、第１仕掛け保持部１００と第２仕掛け保持部２００の間に挟んだ状態で収納できるので、釣糸が仕掛け保持部の外側に散乱してしまうことがなく、特に、爪部１１８は突出部２１８ａにより形成された開口部２１８−１に係合し、爪部１１９は突出部２１９ａにより形成された開口部２１９−１に係合するので、釣糸を第１仕掛け保持部１００と第２仕掛け保持部２００の間に収納した状態で、第１仕掛け保持部１００と第２仕掛け保持部２００とを一体化できるので、釣糸が仕掛け保持部の外側に散乱してしまうことがなく、仕掛けを保持した第１仕掛け保持部１００及び第２仕掛け保持部２００を容易にケース部１０に収納することができる。また、爪部１１８、１１９を開口部２１８−１、２１９−１に係合させて第１仕掛け保持部１００と第２仕掛け保持部２００とを一体化できるので、第１仕掛け保持部１００と第２仕掛け保持部２００とを一度の操作で回動させることができる。
【符号の説明】
【００９７】
５  釣り用仕掛け収納ケース
１０  ケース部
２０、１０１、２０１  本体部
２２ａ  底面部
２２ｂ、２２ｃ、２２ｄ、２２ｅ、３２ｂ、３２ｃ、３２ｄ、３２ｅ  側壁部
２２ｄ−１、２０４ａ、２０６ａ  突状部
２８、２９  軸受部
３０  蓋部
３２ａ  上面部
１００  第１仕掛け保持部
１０１−１、２０１−１  釣針保持部収納部
１０１−２、２０１−２  釣糸保持部収納部
１１２、１１３  突出部
１１８、１１９、２１８ｂ、２１９ｂ  爪部
１１４、１２０、１２１、２１４、２２０、２２１  屈曲板状部
１３０、２３０  釣針保持部
１０２ａ、１４０、２０２ａ、２４０  釣糸保持部
２００  第２仕掛け保持部
２０５  軸部
【図１】
2012152165.tif 000003
【図２】
2012152165.tif 000004
【図３】
2012152165.tif 000005
【図４】
2012152165.tif 000006
【図５】
2012152165.tif 000007
【図６】
2012152165.tif 000008